(57)【特許請求の範囲】
【請求項１】
機関弁（Ｖ）に連動、連結されるアーマチュア（１２）と、該アーマチュア（１２）を吸引して機関弁（Ｖ）を開弁作動せしめる電磁力を発揮する開弁側電磁石（１３）と、前記アーマチュア（１２）を吸引して機関弁（Ｖ）を閉弁作動せしめる電磁力を発揮する閉弁側電磁石（１４）と、前記機関弁（Ｖ）を開弁方向に付勢する弾発力を発揮する開弁側弾発手段（１５）と、前記機関弁（Ｖ）を閉弁方向に付勢する弾発力を発揮するとともに開弁側および閉弁側電磁石（１３，１４）の消勢時には開弁側弾発手段（１５）と共働してアーマチュア（１２）を所定の中立位置に保持する閉弁側弾発手段（１６）とを備える内燃機関の動弁装置において、
開弁側および閉弁側電磁石（１３，１４）は、アーマチュア（１２）に対向する側が開放され且つアーマチュア（１２）とは反対側が相互に磁気的に結合されて二重の筒状に配置されるインナーヨーク（４４，４７）およびアウターヨーク（４５，４８）間に、筒状のコイル（４６，４９）が挿入されて成ると共に、そのコイル（４６，４９）の軸線方向一端部が、インナーヨーク（４４，４７）及びアウターヨーク（４５，４８）の何れからも、該コイル（４６，４９）の軸線方向でアーマチュア（１２）側に突出しており、
アーマチュア（１２）の両電磁石（１３，１４）に対向する面には、コイル（４６，４９）の前記両ヨーク（４４，４５；４７，４８）からの突出部を収容可能な溝状の環状収容部（４２，４３）がそれぞれ設けられることを特徴とする、内燃機関の動弁装置。
【請求項２】
各電磁石（１３，１４）において、インナーヨーク（４４，４７）に対するアウターヨーク（４５，４８）の磁路面積比が１．０〜１．４に設定されることを特徴とする、請求項１に記載の内燃機関の動弁装置。
【請求項３】
開弁側および閉弁側電磁石（１３，１４）の周辺に配置される部材のうち少なくとも機関弁（Ｖ）が非磁性軽量材料で形成され、非磁性軽量材料により形成された部材の他の部材との接触部に表面硬化処理が施されることを特徴とする、請求項１または２に記載の内燃機関の動弁装置。
【請求項４】
両電磁石（１３，１４）及びアーマチュア（１２）を収納するケーシング（１１）の収納孔（１９）には、両電磁石（１３，１４）のアウターヨーク（４５，４８）相互間に介在してアーマチュア（１２）を囲繞するリング状のスリーブ（５０）が嵌合されることを特徴とする、請求項１，２又は３に記載の内燃機関の動弁装置。
【発明の詳細な説明】
【０００１】
【発明の属する技術分野】
本発明は、内燃機関の動弁装置に関し、特に、機関弁に連動、連結されるアーマチュアと、該アーマチュアを吸引して機関弁を開弁作動せしめる電磁力を発揮する開弁側電磁石と、前記アーマチュアを吸引して機関弁を閉弁作動せしめる電磁力を発揮する閉弁側電磁石と、前記機関弁を開弁方向に付勢する弾発力を発揮する開弁側弾発手段と、前記機関弁を閉弁方向に付勢する弾発力を発揮するとともに開弁側および閉弁側電磁石の消勢時には開弁側弾発手段と共働してアーマチュアを所定の中立位置に保持する閉弁側弾発手段とを備える内燃機関の動弁装置に関する。
【０００２】
【従来の技術】
従来、かかる動弁装置は、たとえばＰＣＴ国際公開公報ＷＯ９５／００９５９等により既に知られている。
【０００３】
【発明が解決しようとする課題】
このような動弁装置では、両電磁石の非通電状態では機関弁が中立位置に在り、開弁側電磁石への通電によりアーマチュアを開弁側電磁石に吸引させて機関弁を開弁作動せしめ、閉弁側電磁石への通電によりアーマチュアを閉弁側電磁石に吸引させて機関弁を閉弁作動せしめるのであるが、機関性能の向上を図るためには、アーマチュアと、開弁側および閉弁側電磁石との間で効率的な磁気回路を構成し、開弁側および閉弁側電磁石による電磁吸引力をより増大することが望ましい。
【０００４】
本発明は、かかる事情に鑑みてなされたものであり、両電磁石の電磁吸引力をより増大することを可能とし、機関性能の向上を図り得るようにした内燃機関の動弁装置を提供することを目的とする。
【０００５】
【課題を解決するための手段】
上記目的を達成するために、請求項１の発明は、機関弁に連動、連結されるアーマチュアと、該アーマチュアを吸引して機関弁を開弁作動せしめる電磁力を発揮する開弁側電磁石と、前記アーマチュアを吸引して機関弁を閉弁作動せしめる電磁力を発揮する閉弁側電磁石と、前記機関弁を開弁方向に付勢する弾発力を発揮する開弁側弾発手段と、前記機関弁を閉弁方向に付勢する弾発力を発揮するとともに開弁側および閉弁側電磁石の消勢時には開弁側弾発手段と共働してアーマチュアを所定の中立位置に保持する閉弁側弾発手段とを備える内燃機関の動弁装置において、開弁側および閉弁側電磁石は、アーマチュアに対向する側が開放され且つアーマチュアとは反対側が相互に磁気的に結合されて二重の筒状に配置されるインナーヨークおよびアウターヨーク間に、筒状のコイルが挿入されて成ると共に、そのコイルの軸線方向一端部が、インナーヨークおよびアウターヨークの何れからも、該コイルの軸線方向でアーマチュア側に突出しており、アーマチュアの両電磁石に対向する面には、コイルの前記両ヨークからの突出部を収容可能な溝状の環状収容部がそれぞれ設けられることを特徴とする。この構成により、各電磁石にアーマチュアが吸引されたときに各コイルの一部がアーマチュアの溝状の環状収容部に収容されることになり、コイルの側面で磁界が最も高くなる現象を有効に活用してアーマチュアおよび両ヨーク間の磁束増大を図り、両電磁石の電磁吸引力を増大することが可能となる。
【０００６】
また請求項２の発明は、請求項１の前記特徴に加えて、各電磁石において、インナーヨークに対するアウターヨークの磁路面積比が１．０〜１．４に設定されることを特徴とする。このようにインナーヨークおよびアウターヨークの磁路面積比が定められることにより、両電磁石での吸引力増大が可能となる。
【０００７】
さらに請求項３の発明は、請求項１又は２の前記特徴に加えて、開弁側および閉弁側電磁石の周辺に配置される部材のうち少なくとも機関弁が非磁性軽量材料で形成され、非磁性軽量材料により形成された部材の他の部材との接触部に表面硬化処理が施されることを特徴とする。前記非磁性軽量材料として、チタン合金、アルミニウム合金およびセラミックス等が用いられ、両電磁石からの磁束の漏れを低減して、両電磁石の電磁吸引力増大に寄与することができるとともに、少なくとも機関弁を軽量化することにより電磁吸引力の増大と相まって機関弁を効率的に作動せしめることができる。
【０００８】
さらに請求項４の発明は、請求項１，２又は３の前記特徴に加えて、両電磁石及びアーマチュアを収納するケーシングの収納孔には、両電磁石のアウターヨーク相互間に介在してアーマチュアを囲繞するリング状のスリーブが嵌合されることを特徴とする。
【０００９】
【発明の実施の形態】
以下、本発明の実施の形態を、添付図面に示した本発明の実施例に基づいて説明する。  図１ないし図５は本発明の一実施例を示すものであり、図１は機関弁が中立位置に在る状態での動弁装置の縦断面図、図２は電磁石の横断面図、図３は機関弁の側面図、図４はヨークからのコイル突出量による吸引力の変化を示す図、図５は磁路面積比による吸引力の変化を示す図である。
【００１０】
先ず図１において、この内燃機関のシリンダヘッド５には、吸気弁あるいは排気弁である機関弁Ｖが配設され、該機関弁Ｖは、弁口６ａを形成してシリンダヘッド５に設けられた弁座部材６に着座可能な弁体部７と、該弁体部７に一体に連設されるステム８とから成り、ステム８はガイド筒９内に摺動自在に嵌合される。このガイド筒９は、半径外方に張出すフランジ部９ａを上端に備えるものであり、フランジ部９ａをシリンダヘッド５の上面に係合せしめるまでシリンダヘッド５に圧入されることにより、シリンダヘッド５に固定される。
【００１１】
シリンダヘッド５には動弁装置１０が配設されており、該動弁装置１０が、機関弁Ｖにおけるステム８の上端に連結される。
【００１２】
この動弁装置１０は、シリンダヘッド５上に分離可能に結合されるケーシング１１と、該ケーシング１１内に移動可能に収納されて機関弁Ｖのステム８に連動、連結されるアーマチュア１２と、該アーマチュア１２を吸引して機関弁Ｖを開弁作動せしめる電磁力を発揮すべくアーマチュア１２の下面に対向する位置でケーシング１１内に配置される開弁側電磁石１３と、前記アーマチュア１２を吸引して機関弁Ｖを閉弁作動せしめる電磁力を発揮すべくアーマチュア１２の上面に対向する位置でケーシング１１内に配置される閉弁側電磁石１４と、機関弁Ｖを開弁方向に付勢する弾発力を発揮する開弁側弾発手段としての開弁側コイルばね１５と、機関弁Ｖを閉弁方向に付勢する弾発力を発揮するとともに開弁側および閉弁側電磁石１３，１４の消勢時には開弁側コイルばね１５と共働してアーマチュア１２を所定の中立位置に保持する閉弁側弾発手段としての閉弁側コイルばね１６とを備える。
【００１３】
ケーシング１１は、機関弁Ｖのステム８と同軸に延びて上端を開放した収納孔１９を形成するケーシング主体１７と、該ケーシング主体１７の上面に固定される蓋板１８とから成り、蓋板１８は、収納孔１９の上端を閉じるようにしてケーシング主体１７の上面に、複数のボルト２０，２０…によって締結される。
【００１４】
またケーシング主体１７の外周部の下部には、上下に延びる複数の支持部２１，２１…が一体に設けられており、これらの支持部２１，２１…には、締結ボルト２２，２２…がそれぞれ挿通され、各締結ボルト２２，２２…がシリンダヘッド５に螺合されることにより、ケーシング１１がシリンダヘッド５の上面に締結される。
【００１５】
ケーシング１１における下端部すなわちケーシング主体１７の下端部には、収納孔１９の内面から半径方向内方に張出す支持鍔２４が一体に設けられており、この支持鍔２４の内周に設けられた雌ねじ２７に、機関弁Ｖのステム８と同軸方向に進退可能として支持筒２５が螺合される。また支持筒２５には、支持鍔２４の下面に係合する止めナット２８が螺合されており、支持筒２５の支持鍔２４への螺合と、支持筒２５への止めナット２８の螺合とによるダブルナット構造により、支持筒２５をステム８と同軸方向に進退可能として支持鍔２４すなわちケーシング１１の下端部に強固に固定することができる。
【００１６】
一方、ケーシング１１の上端部すなわち蓋板１８には、ステム８と同軸である支持孔２９を形成する円筒部３０が上方に突出するようにして一体に設けられており、ステム８の軸方向に沿う移動を可能として筒状の調整部材３１が支持孔２９に摺動自在に嵌合され、該調整部材３１には、その上下方向全長にわたる貫通孔３２が穿設される。
【００１７】
円筒部３０には、調整部材３１の上端を閉塞端に当接させるようにして袋ナット３４が螺合され、該袋ナット３４の進退位置を規制するようにして円筒部３０に止めナット３５が螺合される。すなわち袋ナット３４および止めナット３５でダブルナット構造が構成されるものであり、袋ナット３４の進退位置を調整することにより、調整部材３１の軸方向外方側への移動端を調整可能として強固に規制することができる。また袋ナット３４の閉塞端には、調整部材３１の貫通孔３２に同軸に連なる孔３６が設けられる。
【００１８】
機関弁Ｖにおけるステム８の上部は、支持筒２５を同軸に貫通するようにして下方からケーシング主体１７に挿入されるものであり、ステム８の上端部には、アーマチュア１２が固定される。すなわちアーマチュア１２は円盤状に形成されており、該アーマチュア１２の中心部を貫通するステム８の上端部が、上下一対のリング３７，３８に圧入され、両リング３７，３８でアーマチュア１２の中心部が挟持される。
【００１９】
シリンダヘッド５の上面には、ガイド筒９の上端のフランジ部９ａを覆うようにしてキャップ状の受け部材３９が当接されており、該受け部材３９を軸方向移動自在に貫通するステム８を囲繞する閉弁側コイルばね１６がリング３８および受け部材３９間に設けられ、この閉弁側コイルばね１６のばね力によりステム８すなわち機関弁Ｖが閉弁方向に弾発付勢される。しかも受け部材３９内には、ステム８の外面に摺接するリング状のシール部材４０が保持される。またリング３７および調整部材３１間に開弁側コイルばね１５が設けられ、この開弁側コイルばね１５のばね力により、アーマチュア１２は、下方すなわち機関弁Ｖの開弁方向に弾発付勢される。
【００２０】
図２を併せて参照して、開弁側電磁石１３は、アーマチュア１２の下面に対向するようにして収納孔１９内の下部に固定的に配設されるものであり、ステム８および閉弁側コイルばね１６を同軸に囲繞する円筒状のインナーヨーク４４と、該インナーヨーク４４を同軸に囲繞して収納孔１９に嵌合される円筒状のアウターヨーク４５と、合成樹脂から成るボビンにコイルが巻装されて成るとともにインナーヨーク４４およびアウターヨーク４５間に嵌入されるリング状のコイル４６とから成る。インナーヨーク４４の下端部には、半径方向外方に張出したフランジ部４４ａが一体に設けられており、このフランジ部４４ａの外縁部がアウターヨーク４５の下端に係合される。すなわち開弁側電磁石１３は、アーマチュア１２に対向する側が開放されるとともにアーマチュア１２とは反対側が相互に磁気的に結合されて二重の筒状に配置されるインナーヨーク４４およびアウターヨーク４５間に筒状のコイル４６が挿入されて成り、コイル４６は、それの軸線方向一端部が両ヨーク４４，４５から、コイル軸線方向でアーマチュア１２側に突出量Ｌだけ突出せしめられる。またアーマチュア１２の開弁側電磁石１３に対向する面には、コイル４６の両ヨーク４４，４５からの突出部を収容可能な溝状の環状収容部４２が設けられる。
【００２１】
閉弁側電磁石１４は、アーマチュア１２の上面に対向するようにして収納孔１９内の上部に固定的に配設されるものであり、調整部材３１および開弁側コイルばね１５を同軸に囲繞する円筒状のインナーヨーク４７と、該インナーヨーク４７を同軸に囲繞して収納孔１９に嵌合される円筒状のアウターヨーク４８と、インナーヨーク４７およびアウターヨーク４８間に嵌入されるコイル４９とから成る。インナーヨーク４７の上端部には、半径方向外方に張出したフランジ部４７ａが一体に設けられており、このフランジ部４７ａの外縁部がアウターヨーク４８の上端に係合される。すなわち閉弁側電磁石１４は、アーマチュア１２に対向する側が開放されるとともにアーマチュア１２とは反対側が相互に磁気的に結合されて二重の筒状に配置されるインナーヨーク４７およびアウターヨーク４８間にコイル４９が挿入されて成り、コイル４９は、両ヨーク４７，４８からアーマチュア１２側に突出量Ｌだけ突出せしめられる。またアーマチュア１２の閉弁側電磁石１４に対向する面には、コイル４９の両ヨーク４７，４８からの突出部を収容可能な溝状の環状収容部４３が設けられる。
【００２２】
しかも両電磁石１３，１４において、インナーヨーク４４，４７に対するアウターヨーク４５，４８の磁路面積比、すなわちインナーヨーク４４，４７の横断面積に対するアウターヨーク４５，４８の横断面積の比は１．０〜１．４に設定される。
【００２３】
開弁側電磁石１３のアウターヨーク４５と、閉弁側電磁石１４のアウターヨーク４８との間には、アーマチュア１２を囲繞するリング状にして収納孔１９に嵌合されるスリーブ５０が介在せしめられる。また開弁側電磁石１３におけるインナーヨーク４４の下端は、支持筒２５の上端に当接、支持されており、閉弁側電磁石１４におけるインナーヨーク４７の上端と、ケーシング１１における蓋板１８との間にはシム５１が介在せしめられる。すなわち、スリーブ５０を相互間に介在せしめた開弁側および閉弁側電磁石１３，１４は、ケーシング１１の上端部に配置されたシム５１と支持筒２５の上端間に挟持されることにより、ケーシング１１内に固定される。
【００２４】
ケーシング主体１７の下端部において、支持鍔２４に対応する部分にはグロメット５２が嵌合されており、開弁側電磁石１３におけるコイル４６に連なる一対のリード線５３…が該グロメット５２を貫通してケーシング１１の外方に引出される。また蓋板１８には、グロメット５４が嵌合されており、閉弁側電磁石１４におけるコイル４９に連なる一対のリード線５５…がグロメット５４を貫通してケーシング１１の外方に引き出される。
【００２５】
ところで、開弁側電磁石１３および閉弁側電磁石１４の周辺に配置される部材、すなわち機関弁Ｖ、開弁側コイルばね１５、閉弁側コイルばね１６、リング３７，３８、調整部材３１および受部材３９等は、非磁性軽量材料で形成される。この非磁性軽量材料としては、チタン合金、アルミニウム合金およびセラミックス等が選択される。
【００２６】
また機関弁Ｖがセラミックスで形成される場合には、表面硬化処理が施される必要はないものの、チタン合金やアルミニウム合金で機関弁Ｖが形成される場合には、弁座部材６との接触部ならびにガイド筒９との摺接部に表面硬化処理が施される。すなわち図３において、弁座部材６に接触する範囲Ａで、機関弁Ｖにおける弁体部７の表面には、該機関弁Ｖがチタン合金で形成される場合には、クロム炭化物（Ｃｒ3 Ｃ2 ）の肉盛処理が施され、機関弁Ｖがアルミニウム合金で形成される場合には、鉄−クロム炭化物（Ｆｅ−Ｃｒ−Ｃ系材）の溶射処理が施される。またガイド筒９に摺接する範囲Ｂで、機関弁Ｖにおけるステム８の表面には、該機関弁Ｖがチタン合金で形成される場合には、Ｍｏの溶射処理が施され、機関弁Ｖがアルミニウム合金で形成される場合には、Ｆｅのメッキ処理が施される。
【００２７】
次にこの実施例の作用について説明すると、開弁側および閉弁側電磁石１３，１４は、アーマチュア１２に対向する側が開放されるとともにアーマチュア１２とは反対側が相互に磁気的に結合されて二重の筒状に配置されるインナーヨーク４４，４７およびアウターヨーク４５，４８間に、それらのヨーク４４，４５；４７，４８からアーマチュア１２側に突出するようにしてコイル４６，４９が挿入されて成り、アーマチュア１２の両電磁石１３，１４に対向する面には、コイル４６，４９の各ヨーク４４，４５；４７，４８からの突出部を収容可能な環状収容部４２，４３がそれぞれ設けられる。したがって、各電磁石１３，１４にアーマチュア１２が吸引されたときに各コイル４６，４９の一部がアーマチュア１２の環状収容部４２，４３に収容されることになる。
【００２８】
ところで、両電磁石１３，１４において磁界が最も高くなるのは、コイル４６，４９の側面に対応する部分であり、コイル４６，４９をヨーク４４，４５；４７，４８からアーマチュア１２側に突出せしめ、コイル４６，４９の各ヨーク４４，４５；４７，４８からの突出部がアーマチュア１２の環状収容部４２，４３にそれぞれ収容されることにより、アーマチュア１２および両ヨーク４４，４５；４７，４８間の磁束増大を図ることができる。すなわち、図４で示すように、アーマチュア１２側への両ヨーク４４，４５；４７，４８からのコイル４６，４９の突出量が大となるにつれて、両電磁石１３，１４の吸引力が増大することになる。
【００２９】
またインナーヨーク４４，４７に対するアウターヨーク４５，４８の磁路面積比に応じて、吸引力は図５で示すように変化する。ここで、ＡＴは、電流Ａと、コイル巻数Ｔとの積で表わされる単位であり、前記磁路面積比が、１．０〜１．４望ましくは１．２に設定されることで、ＡＴ値が同一であっても各電磁石１３，１４の吸引力を増大させ得ることが明らかである。
【００３０】
しかも、開弁側電磁石１３および閉弁側電磁石１４の周辺に配置された機関弁Ｖ、開弁側コイルばね１５、閉弁側コイルばね１６、リング３７，３８、調整部材３１および受部材３９等が、非磁性軽量材料で形成されることにより、各電磁石１３，１４からの磁束の漏れを極力低減するとともに可動部材である機関弁Ｖの軽量化により、増大した吸引力の確保が可能となる。さらに機関弁Ｖにおいて、弁座部材６との接触部ならびにガイド筒９との摺接部には表面硬化処理が施されるので、非磁性                                軽量材料を用いているにもかかわらず、耐焼付け性や耐摩耗性の向上を図ることができる。
【００３１】
図６は参考例を示すものであり、上記実施例に対応する部分には同一の参照符号を付す。
【００３２】
この動弁装置１０′において、開弁側電磁石１３′は、インナーヨーク４４と、該インナーヨーク４４よりもアーマチュア１２′側に突出したアウターヨーク４５′との間に、インナーヨーク４４よりもアーマチュア１２′側に突出するようにしてコイル４６が挿入されて成り、また閉弁側電磁石１４′は、インナーヨーク４７と、該インナーヨーク４７よりもアーマチュア１２′側に突出したアウターヨーク４８′との間に、インナーヨーク４７よりもアーマチュア１２′側に突出するようにしてコイル４９が挿入されて成る。
【００３３】
またアーマチュア１２′には、コイル４６のインナーヨーク４４からの突出部ならびにコイル４９のインナーヨーク４７からの突出部を収容可能な環状収容部４２′，４３′が、該アーマチュア１２′の両面外周部を薄肉とすることにより形成される。
【００３４】
さらに両電磁石１３′，１４′において、インナーヨーク４４，４７に対するアウターヨーク４５′，４８′の磁路面積比は１．０〜１．４に設定される。
【００３５】
以上、本発明の実施例を詳述したが、本発明は上記実施例に限定されるものではなく、特許請求の範囲に記載された本発明を逸脱することなく種々の設計変更を行なうことが可能である。
【００３６】
【発明の効果】
以上のように本発明によれば、アーマチュアに対向する側が開放され且つアーマチュアとは反対側が相互に磁気的に結合されて二重の筒状に配置されるインナーヨークおよびアウターヨーク間に、その両ヨーク（即ちインナーヨーク及びアウターヨーク）の何れからも、コイル軸線方向でアーマチュア側に突出するようにしてコイルが挿入され、アーマチュアの両電磁石に対向する面には、コイルの前記両ヨークからの突出部を収容可能な溝状の環状収容部がそれぞれ設けられるので、各コイルの一部をアーマチュアの溝状の環状収容部に収容させるようにし、コイルの側面で磁界が最も高くなる現象を有効に活用してアーマチュアおよび両ヨーク間の磁束増大を図り、両電磁石の電磁吸引力を増大することができる。
【００３７】
また特に請求項２の発明によれば、インナーヨークに対するアウターヨークの磁路面積比が１．０〜１．４に設定されることにより、両電磁石での吸引力増大が可能となる。
【００３８】
また特に請求項３の発明によれば、開弁側および閉弁側電磁石の周辺に配置される部材のうち少なくとも機関弁が非磁性軽量材料で形成されることにより、両電磁石からの磁束の漏れを低減して両電磁石の電磁吸引力増大に寄与することができるとともに、少なくとも機関弁を軽量化することにより電磁吸引力の増大と相まって機関弁を効率的に作動せしめることができ、さらに表面硬化処理が施されることにより、耐焼付け性および耐摩耗性の向上を図ることができる。
【００３９】
また特に請求項４の発明によれば、両電磁石及びアーマチュアを収納するケーシングの収納孔には、両電磁石のアウターヨーク相互間に介在してアーマチュアを囲繞するリング状のスリーブが嵌合される。
【図面の簡単な説明】
【図１】本発明の実施例での機関弁が中立位置に在る状態での動弁装置の縦断面図
【図２】電磁石の横断面図
【図３】機関弁の側面図
【図４】ヨークからのコイル突出量による吸引力の変化を示す図
【図５】磁路面積比による吸引力の変化を示す図
【図６】参考例の図１に対応した縦断面図
【符号の説明】
１０・・・動弁装置
１２・・・アーマチュア
１３・・・開弁側電磁石
１４・・・閉弁側電磁石
１５・・・開弁側弾発手段としての開弁側コイルばね
１６・・・閉弁側弾発手段としての閉弁側コイルばね
４２，４３・・・環状収容部
４４，４７・・・インナーヨーク
４５，４８・・・アウターヨーク
４６，４９・・・コイル
Ｖ・・・・機関弁
【図１】
0003605478.tif 000002
【図２】
0003605478.tif 000003
【図３】
0003605478.tif 000004
【図４】
0003605478.tif 000005
【図５】
0003605478.tif 000006
【図６】
0003605478.tif 000007